(57)【特許請求の範囲】
【請求項１】
操作者の頭部に着用される支持部と、
該支持部に対して着脱自在に係合保持されるライト本体部と、を備え、
前記支持部は、前記ライト本体部を装着する際に該ライト本体部を当接させるレール部を有し、
前記ライト本体部は、前記レール部に設けられた凹部又は凸部に嵌り込む位置合わせ用の凸部又は凹部を有し、
前記ライト本体部は、前記位置合わせ用の凸部又は凹部の両側に設けられた傾斜面を有し、前記レール部に対して前記傾斜面を摺動させることで前記位置合わせ用の凸部又は凹部が前記レール部に設けられた凹部又は凸部に誘導されるよう構成されていることを特徴とするヘッドライト。
【請求項２】
前記ライト本体部は、前記位置合わせ用の凸部又は凹部を上下対称の２か所に有し、前記支持部に対して上下左右を反転させた反転姿勢での装着が可能である、請求項１に記載のヘッドライト。
【請求項３】
さらに、前記支持部に対して係合保持された前記ライト本体部の脱落を防止するロック機構を備え、
該ロック機構は、前記支持部にスライド可能に設けられたスライド部材と、前記ライト本体部に形成され、該スライド部材の突起を収容可能な孔部とで構成される、請求項１又は２に記載のヘッドライト。
【発明の詳細な説明】
【技術分野】
【０００１】
本発明は、頭部に装着して用いるヘッドライトに関する。
【背景技術】
【０００２】
従来、工事現場や医療現場などの広い分野において、作業者の頭部に装着して前方を照らすヘッドライトが使用されている。このようなヘッドライトの一例として、頭部に着用したヘッドバンド等の支持部に対して、ライト本体を着脱可能とした着脱式のヘッドライトが知られている（特許文献１参照）。
【先行技術文献】
【特許文献】
【０００３】
【特許文献１】特開２００３−５９３０２号公報
【発明の概要】
【発明が解決しようとする課題】
【０００４】
しかしながら、上記のような着脱式のヘッドライトにおいて、頭部にヘッドバンドを着用した状態でライト本体を装着しようとすると、操作者はヘッドバンドとライト本体との接続部が直接目視できないため位置合わせがし難く、装着が困難であった。
【０００５】
それゆえ本発明は、頭部に着用した支持部に対してライト本体を着脱可能とした着脱式のヘッドライトにおいて、接続部を直接目視することなく容易にライト本体を装着することができるヘッドライトを提供することを目的とする。
【課題を解決するための手段】
【０００６】
本発明は、上記課題を解決するためになされたものであり、本発明のヘッドライトは、
操作者の頭部に着用される支持部と、
該支持部に対して着脱自在に係合保持されるライト本体部と、を備え、
前記支持部は、前記ライト本体部を装着する際に該ライト本体部を当接させるレール部を有し、
前記ライト本体部は、前記レール部に設けられた凹部又は凸部に嵌り込む位置合わせ用の凸部又は凹部を有することを特徴とする。
【０００７】
なお、本発明のヘッドライトにあっては、前記ライト本体部は、前記位置合わせ用の凸部又は凹部を上下対称の２か所に有し、前記支持部に対して上下左右を反転させた反転姿勢での装着が可能であることが好ましい。
【０００８】
また、本発明のヘッドライトにあっては、さらに、前記支持部に対して係合保持された前記ライト本体部の脱落を防止するロック機構を備え、
該ロック機構は、前記支持部にスライド可能に設けられたスライド部材と、前記ライト本体部に形成され、該スライド部材の突起を収容可能な孔部とで構成されることが好ましい。
【発明の効果】
【０００９】
本発明によれば、頭部に着用した支持部に対してライト本体を着脱可能とした着脱式のヘッドライトにおいて、接続部を直接目視することなく容易にライト本体を装着することができるヘッドライトを提供することが可能となる。
【図面の簡単な説明】
【００１０】
【図１】本発明の一実施形態であるヘッドライトの斜視図である。
【図２】図１のヘッドライトにおける接続具を示す斜視図である。
【図３】（ａ）は、図１のヘッドライトにおける取付部材を示す斜視図であり、（ｂ）は、図３（ａ）の取付部材の背面図である。
【図４】（ａ）は、図１のヘッドライトを異なる角度で示した斜視図であり、（ｂ）は、図１のヘッドライトにおけるスライド部材を示す斜視図である。
【発明を実施するための形態】
【００１１】
以下に、図面を参照しつつ、本発明の実施の形態について例示説明する。図１に示す符号１は、本発明の一実施形態に係るヘッドライトである。本実施形態のヘッドライト１は、操作者の頭部に着用される支持部としてのヘッドバンド２と、ヘッドバンド２に着脱自在に係合保持されるライト本体部３とを備える。
【００１２】
ヘッドバンド２は、例えばシリコンゴム等の帯状弾性体を環状に形成したバンド部４と、バンド部４に取り付けられた接続具５とを備える。バンド部４は、アジャスター器具等により長さの調節が可能な構成とされており、直接頭部に着用しても良いし、ヘルメット等に着用して用いることも可能である。
【００１３】
図２に示すように、接続具５は、支持板６から前方に突出するレール部７と、レール部７の上方に間隔をあけて設けられ、支持板６から前方に突出する押圧部８とを備える。また、支持板６の左右両側には、バンド部４を通すための縦溝９が形成された一対のバンド保持部１０が設けられている。レール部７の上面７ａ前方側には、上方に突出する係合部７ｂが設けられている。押圧部８の前側下端には、下方に突出する一対の係合爪部８ａが左右に間隔をあけて設けられている。
【００１４】
図１に示すように、ライト本体部３は、光を照射するライト本体１１と、ライト本体１１に装着される取付部材１２とで構成されている。なお、ライト本体１１と取付部材１２とは必ずしも別部品とする必要はなく、一体として形成してもよい。
【００１５】
ライト本体１１は、円筒状の電池収容部１３と、電池収容部１３の側面側から突出して、その先端開口にレンズ１４が設けられた箱型の照射部１５とを備える。レンズ１４の内側には、ＬＥＤ等の発光素子及び電子基板等が収容されている。電池収容部１３の一方側の端面には、電池の出し入れを行うための電池取出口が形成されており、当該電池取出口を塞ぐ蓋１７がねじ係合により取り付けられている。また、照射部１５の天面には、発光素子の点灯・消灯を切り替える電源ボタン１８が設けられている。
【００１６】
図３（ａ）、（ｂ）に示すように、取付部材１２は、平板状の板状部２０と、板状部２０の前面２０ａ側に一体に連結された円筒上の筒部２１とで構成されている。板状部２０は、筒部２１が連結する一端部２０ｂから、先細り状の他端部２０ｃに向けて、筒部２１の軸線方向に延びている。
【００１７】
板状部２０の長手方向中央付近における上縁及び下縁には、位置合わせ用の凹部２０ｄが上下対称に形成されている。本実施形態において、凹部２０ｄの幅は、接続具５における支持板６と係合部７ｂの間の、レール部７の上面７ａの幅に対応している。すなわち、本実施形態においては、レール部７の上面７ａが、上記凹部２０ｄが嵌り込む凸部の役割を果たしている。また、板状部２０の上縁及び下縁には、板状部２０の長手方向（筒部２１の軸線方向）に対して傾斜し、凹部２０ｄの両側で、当該凹部２０ｄに向けて傾斜する傾斜面２０ｅが設けられている。
【００１８】
図３（ｂ）に示すように、板状部２０の背面２０ｆには、円板形状の磁石２２が２か所に埋め込まれており、ヘッドバンド２から取り外したライト本体部３を、例えば作業現場にある金属製の構造物等に磁石２２で張り付けて作業を行うことができる。
【００１９】
ライト本体１１に取付部材１２を取り付ける際には、蓋１７を取り外した状態で、筒部２１に、ライト本体１１の電池収容部１３を電池取出口側から挿入した後、蓋１７を閉じる。本実施形態においては、蓋１７の外径が筒部２１の内径よりも大きく設計されており、蓋１７を取り外さない限りは、ライト本体１１が取付部材１２から外れてしまうことがない。また、取付部材１２の筒部２１の内側で電池収容部１３が回動可能な構成とされているため、ライト本体部３をヘッドバンド２に装着した状態で、ライト本体１１を取付部材１２対して回転させて、照射角度を変えることができる。
【００２０】
ライト本体１１に取付部材１２を取り付けたライト本体部３を、頭部の前面側に配置されたヘッドバンド２の接続具５に装着する際には、先ず、板状部２０が手前となるようにライト本体部３を持ち、板状部２０の下縁に形成された凹部２０ｄを、支持板６と係合部７ｂの間に差し込むようにレール部７の上面７ａに当接させる。その際、板状部２０の下縁をレール部７上面７ａに当接させながらライト本体部３を左右に動かすと、凹部２０ｄがレール部７の上面７ａに嵌り込んだ位置で、左右の移動が抑制されるため、ライト本体部３が適正に配置されたことを手の感触で確認することができる。ライト本体部３が適正に配置された状態で、背面側にライト本体部３を押し込むと、押圧部８が図２の矢印方向（背面側）に弾性変形することによりレール部７と押圧部８の間隔が一時的に広がり、板状部２０がレール部７と押圧部８の間に入り込む。このとき、係合爪部８ａと係合部７ｂによって板状部２０が係合保持されることで、ライト本体部３がヘッドバンド２に対して装着される。
【００２１】
ライト本体部３をヘッドバンド２から取り外す際には、押圧部８を背面側に向けて押圧して押圧部８を弾性変形させることにより、レール部７と押圧部８の間隔が一時的に広がり、板状部２０に対する係合爪部８ａの係合が解除されてライト本体部３を取り外すことができる。
【００２２】
ここで、ヘッドライト１には、ヘッドバンド２に対して係合保持されたライト本体部３の脱落を防止するロック機構が設けられている。ロック機構は、図４（ａ）に示すように接続具５の背面側に上下方向にスライド可能に取り付けられたスライド部材２３と、図３（ａ）に示すように板状部２０に形成された孔部２４とで構成される。スライド部材２３は、図４（ｂ）に示すように、操作部２３ａと、操作部２３ａから下方に突出する突起２３ｂとを有する。ライト本体部３をロックする際には、ライト本体部３がヘッドバンド２に係合保持された状態で、接続具５の背面側から操作部２３ａを下方に押し込む。これにより、突起２３ｂが孔部２４に収容されるため、板状部２０の前方移動が抑制され、ライト本体部３の脱落を防止することができる。また、この場合、操作部２３ａを上方に引き上げることでロックが解除され、ライト本体部３の取り外しが可能となる。
【００２３】
以上のような構成のヘッドライト１にあっては、レール部７の上面７ａに嵌り込む位置合わせ用の凹部２０ｄを設けたことにより、手の感触でヘッドバンド２とライト本体部３の位置合わせを行うことができるので、ライト本体部３とヘッドバンド２との接続部を直接目視することなく容易にライト本体部３をヘッドバンド２に装着することが可能となる。
【００２４】
また、本実施形態のヘッドライト１にあっては、凹部２０ｄの両側に傾斜面２０ｅを設けたことにより、板状部２０の下縁をレール部７の上面７ａに摺動させた際に、凹部２０ｄがレール部７の上面７ａに嵌り込む適正な位置に板状部２０を誘導することができる。
【００２５】
また、本実施形態のヘッドライト１にあっては、板状部２０の上縁及び下縁に凹部２０ｄを形成し、上下対称形状としたことにより、ライト本体部３を、ヘッドバンド２に対して上下左右を反転させた反転姿勢で装着することができる。これにより、操作者の右利き、左利き等の条件に応じて、ライト本体部３の着脱操作、照射角度の調整操作、電源ボタン１８の押圧操作が行い易いようにライト本体部３の装着姿勢を選択することが可能となる。
【００２６】
以上、図示例に基づき説明したが、本発明は上述の実施形態に限定されるものでなく、特許請求の範囲の記載範囲内で適宜変更することができるものである。例えば、先の実施形態においてレール部７は接続具５の下方に設けられていたが、レール部７と押圧部８の上下を入れ替えた構成とすることも可能である。また、レール部７と押圧部８を上下ではなく左右に配置して、位置合わせの際にはレール部７に対してライト本体部３を上下に摺動させる構成としても良い。また、先の実施形態においては、ヘッドバンド２側に凸部（レール部上面７ａ）を設け、位置合わせ用の凹部２０ｄをライト本体部３側に設けたが、逆の構成としても良い。すなわち、接続具５のレール部７に凹部を設け、それに対応する凸部を取付部材１２の板状部２０に設けることも可能であり、このような構成とした場合においても、本実施形態と同様に、ヘッドバンド２に対してライト本体部３を容易に装着することができる。
【産業上の利用可能性】
【００２７】
かくして本発明により、頭部に着用した支持部に対してライト本体を着脱可能とした着脱式のヘッドライトにおいて、接続部を直接目視することなく容易にライト本体を装着することができるヘッドライトを提供することが可能となった。
【符号の説明】
【００２８】
１  ヘッドライト
２  ヘッドバンド（支持部）
３  ライト本体部
４  バンド部
５  接続具
６  支持板
７  レール部
７ａ  レール部の上面（凸部）
７ｂ  係合部
８  押圧部
８ａ  係合爪部
９  縦溝
１０  バンド保持部
１１  ライト本体
１２  取付部材
１３  電池収容部
１４  レンズ
１５  照射部
１７  蓋
１８  電源ボタン
２０  板状部
２０ａ  前面
２０ｂ  一端部
２０ｃ  他端部
２０ｄ  凹部
２０ｅ  傾斜面
２０ｆ  背面
２１  筒部
２２  磁石
２３  スライド部材
２３ａ  操作部
２３ｂ  突起
２４  孔部
【図１】
0006410526.tif 000002
【図２】
0006410526.tif 000003
【図３】
0006410526.tif 000004
【図４】
0006410526.tif 000005